(57)【要約】  ＤＮＳサーバーは、ドメイン名に関連するＩＰアドレスなどの情報を格納する１つまたは複数のゾーンを含む。これらのゾーンは、ホスト名をドメイン名に相関させるデータを格納するグローバルネームゾーンを含む。名前クエリがクライアント装置から受信されると、ＤＮＳサーバーは、ホスト名に関連するレコードが存在するかグローバルネームゾーンを調べる。ホスト名のレコードがグローバルネームゾーン内に存在しない場合、クエリは、権限ゾーンのローカルコピー内で検索されたＤＮＳレコードを使用して回答される。ホスト名のレコードがグローバルネームゾーン内に存在する場合、クエリは、グローバルネームゾーン内で検索されたＤＮＳレコードを使用して回答される。ドメイン名に関連するＩＰアドレスが判定され、クライアント装置に返される。
2009528773.tif 000002
【特許請求の範囲】
【請求項１】
ドメインネームシステム（ＤＮＳ）サーバーで、ホスト名を含む名前クエリをクライアント装置から受信するステップと、
前記ホスト名に関連するレコードが存在するかグローバルネームゾーンを調べるステップと、
前記レコードから、前記ホスト名に関連するドメイン名を割り出すステップと、
前記ドメイン名に関連するインターネットプロトコル（ＩＰ）アドレスを割り出すステップと、
前記ドメイン名に関連する前記ＩＰアドレスを前記クライアント装置に返すステップとを含むことを特徴とする方法。
【請求項２】
前記ＤＮＳサーバーが前記名前クエリに対する権限ゾーンをホストするか否かを判定するステップをさらに含むことを特徴とする請求項１に記載の方法。
【請求項３】
前記グローバルネームゾーンが前記ホスト名のレコードを有さない場合、前記権限ゾーンのローカルコピー内で検索されたＤＮＳレコードを使用して前記名前クエリに回答するステップをさらに含むことを特徴とする請求項２に記載の方法。
【請求項４】
前記グローバルネームゾーンは、前方参照ゾーンであることを特徴とする請求項１に記載の方法。
【請求項５】
前記グローバルネームゾーンは、プライマリゾーンであることを特徴とする請求項１に記載の方法。
【請求項６】
前記グローバルネームゾーンは、ファイルバックされることを特徴とする請求項１に記載の方法。
【請求項７】
前記グローバルネームゾーンは、ディレクトリシステムと統合されることを特徴とする請求項１に記載の方法。
【請求項８】
ドメインネームシステム（ＤＮＳ）サーバーと、
前記ＤＮＳサーバーに結合されてドメイン名のレコードを格納する１つまたは複数のデータストアであって、ホスト名をドメイン名と相関させるレコードを格納するグローバルネームゾーンを含む１つまたは複数のデータストアと
を含むことを特徴とするシステム。
【請求項９】
前記１つまたは複数のデータストアは、１つまたは複数の前方参照ゾーンを含むことを特徴とする請求項８に記載のシステム。
【請求項１０】
前記１つまたは複数のデータストアは、１つまたは複数のプライマリゾーンを含むことを特徴とする請求項８に記載のシステム。
【請求項１１】
前記グローバルネームゾーンは、プライマリ前方参照ゾーンであることを特徴とする請求項８に記載のシステム。
【請求項１２】
前記１つまたは複数のデータストアは、ドメイン名をインターネットプロトコル（ＩＰ）アドレスと相関させるデータを含むレコードを格納することを特徴とする請求項８に記載のシステム。
【請求項１３】
ホスト名を含むドメイン名の登録を受信するステップと、
グローバルネームゾーンが前記ホスト名のレコードを有するか否かを判定するステップと、
前記グローバルネームゾーンが前記ホスト名のレコードを有さない場合に前記ドメイン名を登録するステップと
を含む複数のステップを実行するための装置実行可能命令を備えることを特徴とする１つまたは複数の装置読み取り可能媒体。
【請求項１４】
ドメイン名の登録を受信するステップは、ドメイン名の登録をドメインネームシステム（ＤＮＳ）サーバーで受信するステップを含むことを特徴とする請求項１３に記載の１つまたは複数の装置読み取り可能媒体。
【請求項１５】
前記複数のステップは、前記ＤＮＳサーバーが前記ドメイン名に対する権限ゾーンをホストするか否かを判定するステップをさらに含むことを特徴とする請求項１４に記載の１つまたは複数の装置読み取り可能媒体。
【請求項１６】
前記複数のステップは、前記ドメイン名に対する前記権限ゾーンをホストする別のＤＮＳサーバーに前記登録を転送するステップをさらに含むことを特徴とする請求項１５に記載の１つまたは複数の装置読み取り可能媒体。
【請求項１７】
前記ドメイン名を登録するステップは、前記ドメイン名を前記権限ゾーン内に登録するステップを含むことを特徴とする請求項１５に記載の１つまたは複数の装置読み取り可能媒体。
【請求項１８】
前記複数のステップは、
前記ドメイン名登録のための第１レコードタイプを割り出すステップと、
前記グローバルネームゾーンに格納される前記ホスト名のレコードの第２レコードタイプを割り出すステップと、
前記第１レコードタイプが前記第２レコードタイプに一致するか否かを判定するステップとをさらに含むことを特徴とする請求項１５に記載の１つまたは複数の装置読み取り可能媒体。
【請求項１９】
前記複数のステップは、前記第１レコードタイプが前記第２レコードタイプに一致する場合に前記登録を拒否するステップをさらに含むことを特徴とする請求項１８に記載の１つまたは複数の装置読み取り可能媒体。
【請求項２０】
前記複数のステップは、前記第１レコードタイプが前記第２レコードタイプに一致しない場合に前記ドメイン名を前記権限ゾーン内に登録するステップをさらに含むことを特徴とする請求項１８に記載の１つまたは複数の装置読み取り可能媒体。
【発明の詳細な説明】
【背景技術】
【０００１】
ドメインネームシステム（ＤＮＳ）は、ドメイン名に関連する情報を１つまたは複数のネットワーク上の分散データベース内に格納するシステムである。格納される情報は、ドメイン名に関連するインターネットプロトコル（ＩＰ）アドレスを含む。ドメインネームスペースは、ドメイン名のツリーとして考えることができる。ツリー内の各ノードまたはリーフは、ドメイン名に関連する情報を保持するリソースレコードに関連する。ツリーは、ゾーンに分割される。ゾーンは、権限ＤＮＳサーバーによって権限をもって提供される接続されたノードの集まりである。ＤＮＳサーバーは、１つまたは複数のゾーンをホストし得る。ドメイン名を解決するには、いくつかのＤＮＳサーバーを再帰呼び出しして必要な情報を検索する必要があることがある。
【０００２】
ドメイン名は通常、ドットで区切られた複数の部分を含む。たとえば、ｅｎｃａｒｔａ．ｍｓｎ．ｃｏｍは、ｅｎｃａｒｔａ、ｍｓｎ、およびｃｏｍの３つの部分を有する。最も右側の部分は、トップレベルドメインである。この例では、トップレベルドメインはｃｏｍである。トップレベルドメインの左側にある各部分は、サブドメインである。この例では、ｍｓｎは第２レベルドメインである。ドメイン名の最も左側の部分は、ホスト名である。ホスト名は、ドメイン内の特定のＩＰアドレスを有する特定のマシンの名前を指定する。この例では、ｅｎｃａｒｔａはホスト名である。
【発明の開示】
【発明が解決しようとする課題】
【０００３】
複数のドメイン境界およびゾーン境界にまたがってホスト名をグローバルに解決するには、マシンをすべてのドメイン内に登録する必要があり、そのことが管理の複雑性を大幅に増大させる。グローバルに必要とされるホスト名は、容易または効率的に追加または管理することはできない。
【０００４】
基本的な理解を読み手に提供するために、以下に本開示の簡略化した概要を示す。この概要は、本開示の広範な概説ではなく、本発明の主要／重要な要素を識別したり、あるいは本発明の範囲を示したりするものではない。この概要の唯一の目的は、本明細書で開示するいくつかの概念を、後で提示するより詳細な説明への前置きとして、簡略化した形式で提示することである。
【課題を解決するための手段】
【０００５】
本明細書で説明するのは、グローバルネームゾーンのための方法およびシステムを対象とするさまざまな技術および技法である。説明する技術の一実装形態によると、ＤＮＳサーバーは、ドメイン名に関連するＩＰアドレスなどの情報を格納する１つまたは複数の参照ゾーンを含む。これらのゾーンは、ホスト名をドメイン名に相関するデータを格納するグローバルネームゾーンを含む。ＤＮＳサーバーがドメイン名の登録を受信すると、ＤＮＳサーバーは、そのドメイン名に対する権限ゾーンをホストしているか調べる。ホストしている場合、ＤＮＳサーバーは、グローバルネームゾーンを調べて、ホスト名のレコードが存在するか判定する。グローバルネームゾーン内にホスト名のレコードが存在しない場合、ドメイン名は、要求どおり権限ゾーン内に登録される。グローバルネームゾーン内にホスト名のレコードが既に存在する場合、ドメイン名の登録は、拒否され得る。
【０００６】
クライアント装置から名前クエリを受信すると、ＤＮＳサーバーは、そのクエリに対する権限ゾーンをホストしているか判定する。ホストしていない場合、名前クエリは、そのクエリに対する権限ゾーンをホストする別のＤＮＳサーバーに転送され得る。ＤＮＳサーバーが名前クエリに対する権限ゾーンをホストしている場合、ＤＮＳサーバーは、ホスト名に関連するレコードが存在するかグローバルネームゾーンを調べる。ホスト名のレコードがグローバルネームゾーン内に存在しない場合、権限ゾーンのローカルコピー内で検索されたＤＮＳレコードを使用してクエリが回答される。ホスト名のレコードがグローバルネームゾーン内に存在する場合、グローバルネームゾーン内で検索されたＤＮＳレコードを使用してクエリが回答される。この場合、ゾーンの権限コピー内のすべてのデータは、無視される。
【０００７】
付随する機能の多くは、添付の図面に関連して検討される以下の詳細な説明を参照することによってよりよく理解されるにつれ、より容易に認識されるであろう。
【０００８】
本説明は、以下の詳細な説明を添付の図面に照らして読むことにより、よりよく理解されるであろう。
【０００９】
添付の図面において、同様の参照数字は同様の部品を示す。
【発明を実施するための最良の形態】
【００１０】
添付の図面に関連して以下に提供する詳細な説明は、本実施例を説明するものであって、本実施例を構築または利用し得る唯一の形式を表すものではない。この説明は、実施例の機能と、実施例を構築および操作するためのステップのシーケンスとを示す。ただし、同様または等価の機能およびシーケンスを、異なる実施例により達成することが可能である。
【００１１】
図１は、グローバルネームゾーンを実装するための例示的システム１００を示すブロック図である。システム１００は、ＤＳＮサーバー１０２と、１１０、１１２または１１４などの１つまたは複数のゾーンとを含む。ゾーンは、ドメイン名に関連する情報、たとえばドメイン名に関連するＩＰアドレスなどを含むリソースレコードを格納する。システム１００内のゾーンの１つは、グローバルネームゾーン１１０である。グローバルネームゾーン１１０は、ホスト名をドメイン名に相関させるリソースレコードを格納する。各レコードタイプに、グローバルネームゾーン１１０に格納されたホスト名が１つのドメイン名に一意に相関させられる。
【００１２】
１０４などのクライアント装置が、たとえば「ｅｎｃａｒｔａ．ｍｓｎ．ｃｏｍ」というドメイン名を登録したい場合、ＤＮＳサーバー１０２は、最初にグローバルネームゾーン１１０を調べて、ホスト名のレコードが既に存在するか判定する。この例では、ホスト名は「ｅｎｃａｒｔａ」である。ホスト名のレコードが既に存在する場合、登録は拒否され得る。ホスト名のレコードが存在しない場合、ＤＮＳサーバーは、ホスト名をドメイン名に相関させるレコードを追加する。この例では、「ｅｎｃａｒｔａ」を「ｅｎｃａｒｔａ．ｍｓｎ．ｃｏｍ」に相関させるレコードが追加されるであろう。１１２など、ドメイン名のための権限ゾーンは、ドメイン名をＩＰアドレスに関連付けるレコードを格納する。この例では、権限ゾーン１１２は、ドメイン名「ｅｎｃａｒｔａ．ｍｓｎ．ｃｏｍ」をＩＰアドレス「２０７．１４２．１３１．２００」に関連付けるレコードを格納し得る。ホスト名「ｅｎｃａｒｔａ」のレコードがグローバルネームゾーンに追加された後は、同じホスト名についての他の登録は拒否され得る。たとえば、クライアント装置がドメイン名「ｅｎｃａｒｔａ．ｘｙｚ．ｃｏｍ」を登録したい場合、管理者が以前に「ｅｎｃａｒｔａ」レコードをグローバルネームゾーン内で作成していれば、登録は拒否され得る。
【００１３】
名前クエリ１２０がＤＮＳサーバー１０２で１０４などのクライアント装置から受信されると、ＤＮＳサーバー１０２は、名前クエリ１２０に対する権限ゾーンをホストしているか調べる。ホストしていない場合、ＤＮＳサーバー１０２は、名前クエリ１２０に対する権限ゾーンをホストする別のＤＮＳサーバーに名前クエリ１２０を転送し得る。
【００１４】
ＤＮＳサーバー１０２が名前クエリ１２０に対する権限ゾーンをホストしている場合、ＤＮＳサーバー１０２は、グローバルネームゾーン１１０を調べて、ホスト名のレコードが存在するか判定する。存在する場合、グローバルネームゾーン１１０は、ホスト名に関連するドメイン名を返す。ＤＮＳサーバー１０２はその後、１１２などの権限ゾーンでドメイン名のレコードを検索して、ドメイン名に関連するＩＰアドレスを割り出すことができる。ＤＮＳサーバー１０２はその後、ＩＰアドレス１２２をクライアント装置１０４に返し得る。
【００１５】
図２〜４は、ＤＮＳゾーンを管理するための例示的ユーザーインターフェイス２００、３００および４００を示すスクリーンショットである。図２は、「ｍｏｏｎｄｏｍａｉｎ．ｎｔｔｅｓｔ．ｍｉｃｒｏｓｏｆｔ．ｃｏｍ」という名前の１つの前方参照ゾーン２０４を含むＤＮＳシステムの実施例を示している。前方参照ゾーン２０４は、ドメイン名に関連する情報、たとえばＩＰアドレスなどを含むリソースレコードを格納する。グローバルネームゾーンを作成するために、管理者は、プルダウンメニュー上の選択肢２０２を通じて、新しいゾーンを追加し得る。管理者は、新しいゾーンのためにさまざまなオプション、たとえばゾーンがプライマリゾーンであるかまたはセカンダリゾーンであるか、およびゾーンがファイルバックされるかまたはＡｃｔｉｖｅ  Ｄｉｒｅｃｔｏｒｙ（登録商標）システムなどのディレクトリシステムと統合されるかなどを選択し得る。管理者はその後、ゾーンのために「Ｇｌｏｂａｌ  Ｎａｍｅｓ」などの一意の名前を選択し得る。
【００１６】
図３は、追加されたＧｌｏｂａｌ  Ｎａｍｅｓゾーン３０２を示している。Ｇｌｏｂａｌ  Ｎａｍｅｓゾーンは、ホスト名をドメイン名に相関させるレコードを格納する。図４は、Ｇｌｏｂａｌ  Ｎａｍｅｓゾーン内に格納されるレコード４０２および４０４を示している。各レコードは、レコードタイプとデータとを有する。レコードタイプの例としては、Ｓｔａｒｔ  ｏｆ  Ａｕｔｈｏｒｉｔｙ（ＳＯＡ）、Ｎａｍｅ  Ｓｅｒｖｅｒ（ＮＳ）、Ｈｏｓｔ（Ａ）、Ｍａｉｌ  Ｅｘｃｈａｎｇｅｒ（ＭＸ）、およびＣａｎｏｎｉｃａｌ  Ｎａｍｅ（ＣＮＡＭＥ）があるが、これらには限定されない。各レコードタイプに、グローバルネームゾーン１１０内に格納されるホスト名が、１つのドメイン名に一意に相関させられる。ＤＮＳシステムがグローバルネームゾーンを含む場合、ＤＮＳサーバーは、ＤＮＳサーバーが名前クエリ、登録または更新を受信したときに、グローバルネームゾーンを最初に調べる。登録または更新については、グローバルネームゾーンが調べられて、同じレコードタイプおよび同じホスト名を有するレコードが既に存在するか判定される。存在する場合、登録または更新は拒否される。名前クエリについては、グローバルネームゾーンが調べられて、ホスト名をドメイン名に相関させるレコードが存在するか判定される。存在する場合、ドメイン名がＤＮＳサーバーに返され、ＩＰアドレスを割り出すために使用される。
【００１７】
図５〜６は、グローバルネームゾーンを実装するための例示的プロセスを示す流れ図である。図５〜６の説明は、他の図面を参照して行うことも可能だが、図５〜６で示される例示的プロセスは、任意の特定の１つまたは複数の図面のシステムまたは他の内容に関連するものには限定されないということを理解されたい。加えて、図５〜６の例示的プロセスは、操作実行の特定の順序を示しているが、１つまたは複数の代替実装形態では、操作を異なるように順序付けることが可能であることを理解されたい。さらに、図５〜６の例示的プロセスで示されるステップおよびデータの一部は、必要でない場合があり、一部の実装形態では省略できる。最後に、図５〜６の例示的プロセスは、複数の独立したステップを含んでいるが、一部の環境では、これらの操作の一部を組み合わせて同時に実行できることを認識されたい。
【００１８】
図５は、名前クエリを解決するための例示的プロセスを示す流れ図である。５１０で、名前クエリがＤＮＳサーバーでクライアント装置から受信される。名前クエリは、ホスト名を含む。５２０で、ＤＮＳサーバーが名前クエリに対する権限ゾーンをホストしているかについての判定が行われる。ホストしていない場合、５２５で、名前クエリに対する権限ゾーンをホストする別のＤＮＳサーバーに名前クエリが転送され得る。
【００１９】
ＤＮＳサーバーが名前クエリに対する権限ゾーンをホストする場合、５３０で、ホスト名のレコードがグローバルネームゾーン内に存在するかについての判定が行われる。存在しない場合、５３５で、権限ゾーンのローカルコピー内で検索されたＤＮＳレコードを使用してクエリが回答される。名前に関連するＩＰアドレスが割り出され、そのＩＰアドレスが５６０でクライアント装置に返される。
【００２０】
グローバルネームゾーンがホスト名のレコードを有する場合、５４０で、グローバルネームゾーン内のホスト名のレコードが調べられて、ホスト名に関連するドメイン名が割り出される。５５０で、ドメイン名に関連するＩＰアドレスが割り出される。５６０で、ドメイン名に関連するＩＰアドレスがクライアント装置に返される。
【００２１】
図６は、ドメイン名を登録するための例示的プロセスを示す流れ図である。６１０で、ドメイン名の登録または更新が受信される。登録または更新は、ドメイン名に対する権限ゾーンをホストしないＤＮＳサーバーで受信され得る。この場合、登録または更新は、ドメイン名に対する権限ゾーンをホストする別のＤＮＳサーバーに転送され得る。
【００２２】
ＤＮＳが名前クエリに対する権限ゾーンをホストする場合、６２０で、ＤＮＳサーバーは、ホスト名に関連するレコードが存在するかグローバルネームゾーンを調べる。ホスト名のレコードがグローバルネームゾーン内に存在しない場合、６５０で、ドメイン名は要求どおり権限ゾーン内で登録または更新される。
【００２３】
グローバルネームゾーンがホスト名のレコードを既に有する場合、ドメイン名の登録または更新のレコードタイプが割り出される。６３０で、ドメイン名の登録または更新のレコードタイプは、グローバルネームゾーン内に格納されているホスト名のレコードのレコードタイプと比較される。レコードタイプが一致する場合、６４０で、登録または更新は拒否される。レコードタイプが一致しない場合、６５０で、ドメイン名は要求どおり権限ゾーン内で登録または更新される。
【００２４】
図７は、本発明の特定の態様を実装し得る例示的コンピューティング環境を示している。コンピューティング環境７００は、本明細書で説明するさまざまな技術を用いることができる好適なコンピューティング環境の一実施例にすぎず、本明細書で説明する技術の利用または機能の範囲についてのいかなる制限も暗示するものではないことを理解されたい。またコンピューティング環境７００は、本明細書で示すすべての構成要素を必ず必要とするものと理解されるべきではない。
【００２５】
本明細書で説明する技術は、多くの他の汎用または専用のコンピューティング環境または構成と共に動作し得る。本明細書で説明する技術と共に使用するのに好適であり得る既知のコンピューティング環境および／または構成の例としては、パーソナルコンピュータ、サーバーコンピュータ、ハンドヘルドまたはラップトップ装置、タブレット装置、マルチプロセッサシステム、マイクロプロセッサベースシステム、セットトップボックス、プログラム可能な家庭用電化製品、ネットワークＰＣ、ミニコンピュータ、メインフレームコンピュータ、上記のシステムまたは装置のいずれかを含む分散コンピューティング環境などがあるが、これらには限定されない。
【００２６】
図７を参照すると、コンピューティング環境７００は、汎用コンピューティング装置７１０を含む。コンピューティング装置７１０の構成要素には、処理装置７１２、メモリ７１４、記憶装置７１６、入力装置（複数も可）７１８、出力装置（複数も可）７２０、および通信接続（複数も可）７２２が含まれ得るがこれらに限定されるものではない。
【００２７】
処理装置７１２は、１つまたは複数の汎用または専用のプロセッサ、ＡＳＩＣ、またはプログラム可能ロジックチップを含み得る。コンピューティング装置の構成およびタイプに応じて、メモリ７１４は、揮発性（たとえばＲＡＭ）、不揮発性（たとえばＲＯＭ、フラッシュメモリなど）、またはこれら２つの何らかの組み合わせであり得る。コンピューティング装置７１０はまた、磁気または光学式のディスクまたはテープを含むがこれらには限定されない追加の記憶装置（リムーバブルおよび／または非リムーバブル）を含み得る。そのような追加の記憶装置は、図７では記憶装置７１６によって示されている。コンピュータ記憶媒体には、コンピュータ読み取り可能命令、データ構造、プログラムモジュールまたは他のデータなどの情報を格納するための任意の方法または技術で実装された揮発性および不揮発性のリムーバブル媒体および非リムーバブル媒体が含まれる。メモリ７１４および記憶装置７１６は、コンピュータ記憶媒体の例である。コンピュータ記憶媒体には、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光学式ストレージ、磁気カセット、磁気テープ、磁気ディスクストレージまたは他の磁気記憶装置、あるいは目的の情報を格納するために使用できコンピューティング装置７１０によるアクセスが可能な任意の他の媒体が含まれるが、これらには限定されない。任意のそのようなコンピュータ記憶媒体は、コンピューティング装置７１０の一部とすることができる。
【００２８】
コンピューティング装置７１０はまた、コンピューティング装置７１０が他の装置と通信すること、たとえばネットワーク７３０を通じて他のコンピューティング装置と通信することを可能にする（１つまたは複数の）通信接続７２２を含み得る。（１つまたは複数の）通信接続７２２は、通信媒体の一例である。通信媒体は通常、コンピュータ読み取り可能命令、データ構造、プログラムモジュールまたは他のデータを、搬送波または他の伝送機構などの変調データ信号内で具体化し、また任意の情報配信媒体を含む。「変調データ信号」という用語は、１つまたは複数の特性が情報を信号内で符号化するような態様で設定または変更された信号を意味する。例として、通信媒体には、有線ネットワークまたは直接配線接続などの有線媒体と、音波、無線周波、赤外線、および他の無線媒体などの無線媒体とが含まれるが、これらには限定されない。本明細書で使用するコンピュータ読み取り可能媒体という用語は、記憶媒体を含む。
【００２９】
コンピューティング装置７１０はまた、キーボード、マウス、ペン、音声入力装置、タッチ入力装置、および／または任意の他の入力装置などの（１つまたは複数の）入力装置７１８を有し得る。１つまたは複数のディスプレイ、スピーカ、プリンタ、および／または任意の他の出力装置などの（１つまたは複数の）出力装置７２０もまた含まれ得る。
【００３０】
本発明をいくつかの例示的な実装形態の観点で説明してきたが、本発明は、説明された実装形態に限定されるのではなく、添付の請求項の精神および範囲内で変型および改変を加えて実施できることを当業者なら認識するであろう。したがって本説明は、限定的なものではなく、例示的なものとして見なされるべきである。
【図面の簡単な説明】
【００３１】
【図１】グローバルネームゾーンを実装するための例示的システムを示すブロック図である。
【図２】ＤＮＳゾーンを管理するための例示的ユーザーインターフェイスを示すスクリーンショットである。
【図３】ＤＮＳゾーンを表示するための例示的ユーザーインターフェイスを示すスクリーンショットである。
【図４】リソースレコードを表示するための例示的ユーザーインターフェイスを示すスクリーンショットである。
【図５】名前クエリを解決するための例示的プロセスを示す流れ図である。
【図６】ドメイン名を登録するための例示的プロセスを示す流れ図である。
【図７】本発明の特定の態様を実装し得る例示的コンピューティング環境を示す図である。
【図１】
2009528773.tif 000003
【図２】
2009528773.tif 000004
【図３】
2009528773.tif 000005
【図４】
2009528773.tif 000006
【図５】
2009528773.tif 000007
【図６】
2009528773.tif 000008
【図７】
2009528773.tif 000009
【国際調査報告】
2009528773.tif 000010
2009528773.tif 000011